(57)【要約】【課題】中電圧直流を具えた電源供給装置の提供。【解決手段】中電圧直流を具えた電源供給装置は、電源入力ユニット、整流ユニット、及び変換ユニットで組成され、電源入力ユニットが交流電圧を整流ユニットに入力し、この整流ユニットが整流して中電圧直流電圧を出力し、この中電圧直流電圧の別の一部分を更に変換ユニットで処理し、全体の電源供給装置が低電圧電源供給のほか、中電圧直流電源供給の効果を具備するものとされている。【選択図】        図２
2004364377.tif 000002
【特許請求の範囲】
【請求項１】
中電圧直流電圧に整流して出力する中電圧直流を具えた電源供給装置において、
交流電源を出力する出力端を具えた電源入力ユニット（１）と、
前記電源入力ユニット（１）の出力端に連接された入力端（２１）を具えると共に、交流電圧を整流して中電圧の直流電圧として出力する第１の出力端（２２）と第２の出力端（２３）とを具えた整流ユニット（２）と、
中電圧直流電圧を低電圧直流電圧（３１）にして出力する変換ユニット（３）と、
を具えたことを特徴とする、中電圧直流を具えた電源供給装置。
【請求項２】
請求項１記載の中電圧直流を具えた電源供給装置において、整流ユニット（２）が半波ブリッジ式整流方式とされるか、或いは全波ブリッジ式整流方式とされるか、或いは電圧安定化方式のいずれかの方式とされ、半波或いは全波ブリッジ式整流の間に切り換えユニット（４）が連接され、この切り換えユニット（４）が機械式、或いは電子式とされたことを特徴とする、中電圧直流を具えた電源供給装置。
【請求項３】
請求項１記載の中電圧直流を具えた電源供給装置において、整流ユニット（２）が少なくとも一つのコンデンサ及びダイオードで組成された、半波或いは全波の倍圧ユニット（５）で組成されたことを特徴とする、中電圧直流を具えた電源供給装置。
【請求項４】
請求項１記載の中電圧直流を具えた電源供給装置において、変換ユニット（３）が複数組設けられるか、或いは単一組設けられるか、或いはプラス、マイナス電源供給方式の任意の一種類の形態で構成されたことを特徴とする、中電圧直流を具えた電源供給装置。
【発明の詳細な説明】
【０００１】
【発明の属する技術分野】
本発明は一種の中電圧直流を具えた電源供給装置に係り、特に、低電圧供給を行うだけでなく、中電圧供給を行え、電源供給装置全体として家電の電源供給損耗を節約し、並びに機能が高められた電源供給装置に関する。
【０００２】
【従来の技術】
一般に、ＰＣ用電源供給装置は、複数組の低圧直流を提供するものが主流であるが、ＰＣ情報家電時代にあって、ＰＣ構造を援用した低電圧直流供給器は、その効率と使用の弾性を失いつつある。
【０００３】
現在広く受け入れられている情報家電製品例えばプラズマテレビ、液晶ディスプレイ内部には各種の電子回路設計が設けられているほか、情報家電に電源を供給する唯一の電源供給装置は低電圧電源供給方式とされ、図１に示されるようである。そのうち、液晶ディスプレイのバックライトに使用されるランプはいずれもＣＣＦＬとされ、このＣＣＦＬは高電圧（数百から千ボルト以上）で駆動する必要がある。
【０００４】
伝統的な設計では変換ユニットの１２Ｖ（５Ｖ）低電圧端より大きなワット数の電源を取得し（大型液晶ディスプレイに使用されるランプ数は非常に多く、２０〜３０本にもなる）、これにより、百ワット以上の低電圧電源供給モジュールが必要となる。しかし、これらの低電圧電源供給モジュールは、効率の低い中電圧（ＤＣ１５０〜３００Ｖ）を低電圧に変換する直流対直流変換ユニットを経過する必要があり、その後にさらにインバータで組成された昇圧ユニットで処理し、処理後の高電圧によりランプを駆動し、液晶ディスプレイのバックライトを点灯させる。こうして情報家電電源供給装置の電力損耗は非常に大きくなる。また、その機能も高めることができない。
【０００５】
【発明が解決しようとする課題】
本発明の主要な目的は、上述の従来の技術の欠点を解決し、欠点の存在を無くすことにある。本発明の中電圧直流を具えた電源供給装置は、中電圧直流電圧を出力し、全体の直流電源供給装置が低電圧電源供給を行うだけでなく、直接中電圧電源供給を行え、ＰＣ時代の情報家電の電源供給上、更に弾性と効率を有するものとされる。
【０００６】
【課題を解決するための手段】
請求項１の発明は、中電圧直流電圧に整流して出力する中電圧直流を具えた電源供給装置において、
交流電源を出力する出力端を具えた電源入力ユニット（１）と、
前記電源入力ユニット（１）の出力端に連接された入力端（２１）を具えると共に、交流電圧を整流して中電圧の直流電圧として出力する第１の出力端（２２）と第２の出力端（２３）とを具えた整流ユニット（２）と、
中電圧直流電圧を低電圧直流電圧（３１）にして出力する変換ユニット（３）と、
を具えたことを特徴とする、中電圧直流を具えた電源供給装置としている。
請求項２の発明は、請求項１記載の中電圧直流を具えた電源供給装置において、整流ユニット（２）が半波ブリッジ式整流方式とされるか、或いは全波ブリッジ式整流方式とされるか、或いは電圧安定化方式のいずれかの方式とされ、半波或いは全波ブリッジ式整流の間に切り換えユニット（４）が連接され、この切り換えユニット（４）が機械式、或いは電子式とされたことを特徴とする、中電圧直流を具えた電源供給装置としている。
請求項３の発明は、請求項１記載の中電圧直流を具えた電源供給装置において、整流ユニット（２）が少なくとも一つのコンデンサ及びダイオードで組成された、半波或いは全波の倍圧ユニット（５）で組成されたことを特徴とする、中電圧直流を具えた電源供給装置としている。
請求項４の発明は、請求項１記載の中電圧直流を具えた電源供給装置において、変換ユニット（３）が複数組設けられるか、或いは単一組設けられるか、或いはプラス、マイナス電源供給方式の任意の一種類の形態で構成されたことを特徴とする、中電圧直流を具えた電源供給装置としている。
【０００７】
【発明の実施の形態】
本発明の中電圧直流を具えた電源供給装置は、電源入力ユニット、整流ユニット、及び変換ユニットで組成され、電源入力ユニットが交流電圧を整流ユニットに入力し、この整流ユニットが整流して中電圧直流電圧を出力し、この中電圧直流電圧の別の一部分を更に変換ユニットで処理し、全体の電源供給装置が低電圧電源供給のほか、中電圧直流電源供給の効果を具備するものとされている。
【０００８】
【実施例】
図２は本発明の中電圧直流を具えた電源供給装置の回路ブロック図である。図示されるように、本発明の中電圧直流を具えた電源供給装置は、電源入力ユニット（１）、整流ユニット（２）、変換ユニット（３）で組成され、直接整流ユニット（２）より中電圧直流電圧が導出され、従来の電源供給装置がただ低電圧しか供給できなかった問題を解決し、使用者が運用できる弾性空間が大きく、また、電力損耗を節約し、機能を高める目的を達成する。
【０００９】
上述の電源入力ユニット（１）は１１０〜２２０Ｖの交流電圧を提供する。
【００１０】
該整流ユニット（２）は上述の交流電源を入力する入力端（２１）を具え、この整流ユニット（２）は交流電源を整流して中電圧の約１５０Ｖ〜３００Ｖの直流電圧を出力する。この整流後の直流電圧は整流ユニット（２）の第１の出力端（２２）と第２の出力端（２３）より出力される。
【００１１】
該変換ユニット（３）は、上述の整流ユニット（２）の第２の出力端（２３）に連接されて、整流ユニット（２）の出力した中電圧直流電圧を低電圧直流電圧（±５Ｖ，±１２Ｖ，±２４Ｖ等）（３１）に変換して出力し、これによりこの装置が他の回路の必要な低電圧直流電源を供給する。
【００１２】
上述の電源入力ユニット（１）が交流電源を整流ユニット（２）に入力する時、該整流ユニット（２）はこの交流電源を整流して中電圧直流電源（１５０ＤＣＶ〜３００ＤＣＶ）となして出力し、一部分の中電圧直流電圧は変換ユニット（３）に出力されて、低電圧直流電圧（３１）に変換されて出力される。こうして全体の直流電源供給装置が低電圧電源供給するだけでなく、直接中電圧直流電源を供給できるものとされ、ＰＣ時代の情報家電の電源供給上、更なる弾性と効率を具備するものとされる。
【００１３】
図３は本発明の別の実施例表示図である。図示されるように、本発明の中電圧直流を具えた電源供給装置が採用する整流ユニット（２）は交流電圧を整流して中電圧直流電圧として出力し、この整流ユニット（２）には半波ブリッジ式整流或いは全波ブリッジ式整流が採用されるか、或いは電圧安定化方式により交流電圧が中電圧直流電圧に変換されて出力される。
【００１４】
また、半波或いは全波ブリッジ式整流間に切り換えユニット（４）が連接され、この切り換えユニット（４）は機械式、電子式のいずれかのスイッチで組成され、整流ユニット（２）が半波或いは全波ブリッジ式整流処理を行う時は、この切り換えユニット（４）により切り換えが行われる。
【００１５】
図４は本発明のさらに別の実施例表示図であり、図示されるように、本発明の中電圧直流を具えた電源供給装置に採用される整流ユニット（２）は少なくとも一つのコンデンサとダイオードで組成された半波、全波の倍圧ユニット（５）を利用して入力された交流電圧を倍圧して中電圧直流電圧として出力する。
【００１６】
【発明の効果】
本発明は、従来の技術の欠点を解決し、欠点の存在を無くしている。本発明の中電圧直流を具えた電源供給装置は、中電圧直流電圧を出力し、全体の直流電源供給装置が低電圧電源供給を行うだけでなく、直接中電圧電源供給を行え、ＰＣ時代の情報家電の電源供給上、更に弾性と効率を有するものとされる。
【図面の簡単な説明】
【図１】従来の情報家電電源供給装置の電気回路ブロック図である。
【図２】本発明の中電圧直流を具えた電源供給装置の電気回路ブロック図である。
【図３】本発明の別の実施例表示図である。
【図４】本発明のさらに別の実施例表示図である。
【符号の説明】
（１）電源入力ユニット
（２）整流ユニット
（２１）入力端
（２２）第１の出力端
（２３）第２の出力端
（３）変換ユニット
（３１）低電圧直流電圧
（４）切り換えユニット
（５）倍圧ユニット
【図１】
2004364377.tif 000003
【図２】
2004364377.tif 000004
【図３】
2004364377.tif 000005
【図４】
2004364377.tif 000006